(57)【特許請求の範囲】
【請求項１】
電気採暖具本体に配線されたヒータ及び温度検知線と、前記ヒータへの通電をオンオフするリレー接点と、前記リレー接点を開閉させるリレーコイルと、前記温度検知線の検出した温度が所望の温度になるように前記リレーコイルへの付勢及びその付勢解除を制御するマイクロコンピュータと、交流電源波形のゼロクロス点を検出するゼロクロス点検出手段とを備え、前記マイクロコンピュータは起動してから前記ゼロクロス点検出手段がゼロクロス点を検出するまでの時間Ｔｓを計測し、前記時間Ｔｓに応じて電源投入後１回目にリレーコイルを付勢する時の交流電源波形に対するタイミングを決定することを特徴とする電気採暖具のリレー制御装置。
【請求項２】
マイクロコンピュータはリレーコイルの付勢及びその付勢解除を交流電源波形１周期内を複数の位相区間に分割して前記位相区間を順に付勢及びその付勢解除を行うと共に、電源投入後１回目に前記リレーコイルを付勢するタイミングを前記時間Ｔｓに応じて前記分割した複数の位相区間から選択することを特徴とする請求項１記載の電気採暖具のリレー制御装置。
【請求項３】
リレー接点とリレーコイルを有する複数のリレーを備え、マイクロコンピュータは電気採暖具本体への電源投入後１回目に付勢するリレーコイルを前記複数のリレーのリレーコイルからランダムに決定することを特徴とする請求項１記載の電気採暖具のリレー制御装置。
【請求項４】
交流電源波形のゼロクロス点を検出するゼロクロス点検出手段を備え、マイクロコンピュータは起動してから前記ゼロクロス点検出手段がゼロクロス点を検出するまでの時間Ｔｓを計測し、前記時間Ｔｓに応じて電源投入後１回目に付勢するリレーコイルを前記複数のリレーコイルから決定することを特徴とする請求項３に記載の電気採暖具のリレー制御装置。
【請求項５】
電気採暖具本体への通電をオンオフする電源スイッチをマイクロコンピュータの電源側に備えてなる請求項１〜４のいずれか１項記載の電気採暖具のリレー制御装置。
【発明の詳細な説明】
【０００１】
【発明の属する技術分野】
本発明は、ヒータへの電力の供給・遮断をリレー接点にて行う、電気カーペットや電気毛布などの電気採暖具のリレー制御装置に関するものである。
【０００２】
【従来の技術】
図６は電気カーペットに適用した従来のリレー制御装置の構成図である。交流電源には、リレー接点１を介してヒータ２が接続されると共にマイクロコンピュータ３が接続されている。このうちヒータ２は、図示していないがカーペット本体に配線されている。
【０００３】
また、マイクロコンピュータ３には、カーペット本体に配線された温度検知線４が接続されると共にリレーコイル５、ゼロクロス点検出手段６が接続されている。このリレーコイル５は、付勢及びその付勢解除によりリレー接点１を開閉するものであり、ゼロクロス点検出手段６は、交流電源波形のゼロクロス点を検出するものである。
【０００４】
かかる構成において、マイクロコンピュータ３は、温度検知線４によるカーペット本体の検知温度と設定温度との温度差をなくすようにリレーコイル５の付勢及びその付勢解除を行ってヒータ２への電力の供給・遮断を行い、カーペット本体の温度を設定温度に制御している。
【０００５】
ここで、リレー接点１の開閉が、たとえば交流電源電圧の極性が一方向に印加されている状態で行われると、リレー接点１における一方の接点の金属微粒子が飛び、その回数が多くなると、リレー接点１の接触不良が発生する。
【０００６】
さらに、リレー接点１の開閉が電源電圧のピーク時に行われると、定格１００Ｖの商用電源では、ピーク値１４１Ｖまで電圧が上昇するので、最大１４１Ｖの電圧がリレー接点１に印加されることになり、たとえば電気カーペットのような大電流を用いるものに対しては、リレー接点１の寿命を短くすることがある。
【０００７】
そこで、従来の電気採暖具のリレー制御装置では、電流容量に余裕度を持たせた大型のリレーを用いたり、リレー接点を保護するために、交流電源波形の１周期内を複数の位相区間に分割し、その全ての位相区間で均等にリレー接点の開閉を行うものや、交流電源波形のゼロクロス点でリレー接点の開閉を行うようにしている。
【０００８】
まず、リレー接点１の開閉を交流電源波形の１周期内で均等に行う場合の一例として、位相分割方式を図を用いて説明する。図７、８は、交流電源波形を複数の位相区間に分割したイメージ図であり、この例では交流の１周期を均等にｆ１〜ｆ８の８つの位相区間に分割している。
【０００９】
図８はリレーコイル５の付勢及びその付勢解除を実際に行った時のタイミングチャートであり、上から交流電源波形、リレーコイル５の付勢状況、リレー接点１の電圧波形である。
【００１０】
ここで、１回目のリレーコイル５への付勢及びその付勢解除を交流電源波形の位相区間ｆ１で行うと、リレー接点１はリレーコイル５の付勢及びその付勢解除からある遅れ時間Ｔｐ、Ｔｑをもって開閉する。そして２回目の付勢及びその付勢解除は位相区間ｆ２で行われる。
【００１１】
リレー接点１は同様に位相区間ｆ２からある遅れ時間Ｔｐ、Ｔｑをもって開閉する。これを順に位相区間ｆ８まで繰り返し行うことにより、交流電源波形の１周期内の全ての位相区間で均等にリレー接点１の開閉を行う。
【００１２】
なお、位相区間の判定は例えばゼロクロス点検出手段６の信号とマイクロコンピュータ３の持つ時間計測機能を用いれば容易に実現できる。
【００１３】
次に、交流電源波形のゼロクロス点でリレー接点１の開閉を行うゼロクロス点方式の一例を図９を用いて説明する。
【００１４】
図９はリレーコイル５の付勢及びその付勢解除を実際に行った時のタイミングチャートであり、上から交流電源波形、リレーコイル５の付勢状況、リレー接点１の電圧波形である。
【００１５】
先に述べたように、リレー接点１の開閉はリレーコイル５の付勢及びその付勢解除からある遅れ時間Ｔｐ、Ｔｑをもって行われる。そこで、マイクロコンピュータ３は、あらかじめその遅れ時間を見込んでリレーコイル５の付勢及びその付勢解除を行う。
【００１６】
１回目のリレーコイル５の付勢及びその付勢解除は、交流電源波形のゼロクロス点よりも時間Ｐ、Ｑだけ早いタイミングで行う。この時間Ｐ、Ｑはあらかじめデータとしてマイクロコンピュータ３が内部メモリに記憶しており、設計時に実際の遅れ時間を測定して決定したものである。
【００１７】
しかし、実際には遅れ時間はリレー毎に異なり、また、経時的な変化もする。そこで、一般的には時間Ｐ、Ｑを実際の遅れ時間Ｔｐ、Ｔｑに合致するように常に更新しており、その手法の概要を以下に示す。
【００１８】
まず、実際のリレー接点１の開閉状況を接点検出手段７で検出し、実際の遅れ時間Ｔｐ、Ｔｑを計測する。そして、データとして持っている時間Ｐ、Ｑと実際の遅れ時間Ｔｐ、Ｔｑとの時間差ｐ（＝Ｔｐ−Ｐ）、ｑ（＝Ｔｑ−ｑ）を考慮して時間Ｐ、Ｑのデータを更新し、次回のリレーコイル５の付勢及びその付勢解除を行う。
【００１９】
つまり、マイクロコンピュータ３は、次回のリレーコイル５の付勢及びその付勢解除をゼロクロス点よりも時間Ｐ＋ｐ、Ｑ＋ｑだけ早いタイミングで行うようにし、リレー接点１の開閉が確実にゼロクロス点で行われるように制御する。
【００２０】
ここで、遅れ時間Ｔｐ、Ｔｑの計測や、リレーコイル５の付勢及びその付勢解除タイミングの判定は例えばゼロクロス点検出手段６、接点検出手段７の信号とマイクロコンピュータ３の持つ時間計測機能を用いれば容易に実現できる。
【００２１】
上記に示したような手法を用いて、リレー接点の保護をはかりながら、温度制御を行っている。
【００２２】
【発明が解決しようとする課題】
しかしながら、前記従来の電気カーペットのリレー制御装置においては、電気カーペット本体への電源投入後１回目、つまりマイクロコンピュータ３に電源が供給されてから１回目のリレー接点１の開閉は、交流電源波形に対して常に同じタイミングで行われてしまうので、交流電源電圧の一方の極性に偏ってしまい、リレー接点１の接触不良を発生させやすくする。
【００２３】
またそのタイミングが交流電源電圧のピーク値になる可能性もあり、その場合には極端なリレー寿命の低下が考えられる。
【００２４】
具体的には、先の位相分割方式の場合、リレーコイル５を付勢する初期の位相区間はマイクロコンピュータ３が記憶している値となり、リレー接点１の開閉タイミングはその位相区間から時間Ｔｐ、Ｔｑだけ遅れたタイミングとなる。
【００２５】
マイクロコンピュータ３が記憶している初期の位相区間は一定であり、時間Ｔｐ、Ｔｑも長期間で見れば経時的な変化もあるが、ほぼリレー固体によって一定である。そのため、電源投入後１回目の接点開閉の交流電源波形に対するタイミングも毎回一定となってしまう。
【００２６】
また、ゼロクロス点方式の場合、初期のリレー接点１の開閉がゼロクロス点で行われるように時間Ｐ、Ｑの初期値は設計するが、実際の遅れ時間はリレー固体によって異なる。そのため使用しているリレーによっては、電源投入後１回目の接点開閉が、初期のデータとして記憶している時間Ｐ、Ｑと実際のリレーの遅れ時間Ｔｐ、Ｔｑとの間の時間差ｐ、ｑだけゼロクロス点からずれたタイミングで毎回行われてしまう。
【００２７】
対策として、ＥＥＰＲＯＭ等の不揮発性メモリーを用いて補正された時間Ｐ、Ｑを保持しておくことも可能であるがコストアップとなり、実用的ではない。
【００２８】
特に、最近では、省エネルギーに関するユーザーの関心の高まりもあり、頻繁に電源コンセントの抜き差しが行われ、容易にマイクロコンピュータ３の電源がオンオフされる傾向にある。
【００２９】
さらには、図１０に示すように待機電力を削減するため本体の電源スイッチ８をマイクロコンピュータ３の電源側に構成し、電源スイッチ８をオフすることによってマイクロコンピュータ３の電源もオンオフするように設計された電気採暖具が多くなってきており、電源投入後１回目、つまりマイクロコンピュータ３に電源が供給されてから１回目のリレー接点１の開閉タイミングの決定は、重要となってきている。
【００３０】
本発明は、前記従来の課題を解決するもので、電源投入後１回目のリレーコイルの付勢タイミングをランダムにすることで、使用の度に電源を入れられるような場合でもリレー接点の寿命を低下させることのない電気採暖具のリレー制御装置を提供できる。
【００３１】
【課題を解決するための手段】
前記従来の課題を解決するために、本発明の電気採暖具のリレー制御装置は、電気採暖具本体に配線されたヒータ及び温度検知線と、ヒータへの通電をオンオフするリレー接点と、リレー接点を開閉させるリレーコイルと、温度検知線の検出した温度が所望の温度になるように前記リレーコイルへの付勢及びその付勢解除を制御するマイクロコンピュータと、交流電源波形のゼロクロス点を検出するゼロクロス点検出手段とを備え、前記マイクロコンピュータは起動してから前記ゼロクロス点検出手段がゼロクロス点を検出するまでの時間Ｔｓを計測し、前記時間Ｔｓに応じて電源投入後１回目にリレーコイルを付勢する時の交流電源波形に対するタイミングを決定することを特徴とするものである。
【００３２】
【発明の実施の形態】
本発明は、電気採暖具本体に配線されたヒータ及び温度検知線と、ヒータへの通電をオンオフするリレー接点と、リレー接点を開閉させるリレーコイルと、温度検知線の検出した温度が所望の温度になるように前記リレーコイルへの付勢及びその付勢解除を制御するマイクロコンピュータと、交流電源波形のゼロクロス点を検出するゼロクロス点検出手段とを備え、前記マイクロコンピュータは起動してから前記ゼロクロス点検出手段がゼロクロス点を検出するまでの時間Ｔｓを計測し、前記時間Ｔｓに応じて電源投入後１回目にリレーコイルを付勢する時の交流電源波形に対するタイミングを決定するようにしたものである。
【００３３】
したがって、電源投入後１回目のリレー接点の開閉タイミングを交流電源電圧の一方の極性に偏らせることなくすべてのタイミングで均等に行うことができ、リレー寿命を延ばすことができるものである。
【００３４】
そして、リレーコイルの付勢及びその付勢解除を交流電源波形１周期内を複数の位相区間に分割して前記位相区間を順に付勢及びその付勢解除を行うと共に、電源投入後１回目に前記リレーコイルを付勢するタイミングを前記時間Ｔｓに応じて前記分割した複数の位相区間から選択するようにすれば、電源投入時だけでなく、通常の温度制御時におけるリレー接点１の開閉を交流電源波形の１周期内の全ての位相区間で均等にを行うことができる。
【００３５】
ここで、マイクロコンピュータは電気採暖具本体への電源投入後１回目に付勢するリレーコイルを前記複数のリレーのリレーコイルからランダムに決定するようにすれば、マイクロコンピュータは電気採暖具本体への電源投入後１回目に通電するリレーコイルを前記複数のリレーコイルからランダムに決定することにより、電源投入後１回目のリレー接点の開閉を複数あるすべてのリレーに対して均等に行うことができ、複数のリレーでシステム全体のリレー寿命の延長をはかることができる。
【００３６】
さらに、交流電源波形のゼロクロス点を検出するゼロクロス点検出手段を備え、マイクロコンピュータは起動してから前記ゼロクロス点検出手段がゼロクロス点を検出するまでの時間Ｔｓを計測し、前記時間Ｔｓに応じて電源投入後１回目に付勢するリレーコイルを前記複数のリレーコイルから決定するようにすれば、複数のリレーでシステム全体のリレー寿命の延長をはかることができる。
【００３７】
また、電気採暖具本体への通電をオンオフする電源スイッチをマイクロコンピュータの電源側に設けることにより、使用するたびにマイクロコンピュータが起動するように構成しても、電源投入後１回目のリレー接点の開閉タイミングを交流電源電圧の一方の極性に偏らせることなくすべてのタイミングで均等に行うことができ、リレー寿命を延ばすことができると共に、待機電力を０とすることができる。
【００３８】
【実施例】
以下、本発明の実施例について、図面を参照しながら説明する。
【００３９】
（実施例１）
図１は、本発明の第１の実施例の電気カーペットに適用したリレー制御装置の構成図である。交流電源には、電源スイッチ８を介してマイクロコンピュータ３が接続されている。さらにその先にはリレーＡのリレー接点９とリレーＢのリレー接点１０を介してヒータ２が接続されている。このリレーＡのリレー接点９とリレーＢのリレー接点１０は並列に構成されており、どちらか片方の接点が閉じることにより、ヒータ２に電力を供給する。このうちヒータ２はカーペット本体に配線されている。
【００４０】
また、交流電源ラインに接続されたゼロクロス点検出手段６が交流電源波形のゼロクロス点を検出し、その情報をマイクロコンピュータ３に伝送する。
【００４１】
また、マイクロコンピュータ３には、カーペット本体に配線された温度検知線４と、リレーＡのリレーコイル１１とリレーＢのリレーコイル１２が接続されている。このリレーコイル１１、１２は付勢及びその付勢解除によりそれぞれリレー接点９、１０を開閉するものとなっている。
【００４２】
ここで、マイクロコンピュータ３は、温度検知線４によるカーペット本体の検知温度と設定温度との温度差を無くすようにリレーコイル１１、１２の付勢及びその付勢解除を行ってヒータ２への通電・遮断を行い、カーペット本体の温度を設定温度に制御する機能を有している。
【００４３】
また、マイクロコンピュータ３は、具体的に図２に示すように温度設定手段３ａ、温度検知手段３ｂ、温度制御手段３ｃ、出力タイミング制御手段３ｄ、及び時間計測手段３ｅの各機能を有している。
【００４４】
このうち、温度設定手段３ａはカーペット本体における所望の暖房温度を設定する機能を有するものであり、温度検知手段３ｂは温度検知線４の温度に応じたインピーダンス変化をディジタル温度信号に変換する機能を有している。
【００４５】
また、温度制御手段３ｃは、温度設定手段３ａで設定された設定温度と、温度検知手段３ｂにより求めたカーペット本体の検知温度とを比較し、これらの温度差をなくすリレー出力信号を出すように出力タイミング制御手段３ｄに指令する機能を有している。
【００４６】
また、出力タイミング制御手段３ｄは、温度制御手段３ｃから指令に従い、リレー出力信号をリレーコイル１１、１２に送出するタイミングを制御する機能を有している。そのタイミングであるが、本実施例では、図９に示すように、交流電源波形１周期内を８分割して、ｆ１〜ｆ８の位相区間に分け、全ての位相区間で均等にリレーコイル１１、１２の付勢及びその付勢解除を行う。
【００４７】
また、出力対象となるリレーはリレーＡ、Ｂを交互に片側づつ行う。
【００４８】
具体的にはリレーＡのコイルを位相区間ｆ１で付勢した場合には、その付勢解除は位相区間ｆ１で行う。そして次回の付勢及びその付勢解除はリレーＢに対して位相区間ｆ１で行う。次々回の付勢及びその付勢解除はリレーＡに対して位相区間ｆ２で行う。これを位相区間ｆ８まで繰り返す。
【００４９】
そのため、出力タイミング制御手段３ｄは、今回リレーＡ、Ｂのどちらのコイルを使用するかというリレー選択情報と、付勢及びその付勢解除を行う位相区間を位相区間情報として内部メモリに記憶する機能を有している。
【００５０】
また、時間計測手段３ｅは、任意の位相区間の時間を計測する機能を有している。
【００５１】
次に上記の如く構成された装置の通常のリレー制御について図３に示すリレー制御フローチャートを参照して説明する。まず、マイクロコンピュータ３の温度制御手段３ｃは、温度設定手段３ａで設定された設定温度と温度検知手段３ｂで検出した検知温度の比較を行う（Ｓ４０１）。
【００５２】
ここでカーペット本体の検知温度が設定温度よりも低い場合、既にリレーコイルが付勢されているかどうかを確認（Ｓ４０２）し、付勢されていなければ温度制御手段３ｃは、ヒータ２に通電するように、つまりリレーコイルを付勢するように、出力タイミング制御手段３ｄに指令をする（Ｓ４０３）。
【００５３】
そして、出力タイミング制御手段３ｄはタイミングを判定するために現在の位相区間を取得する（Ｓ４０４）。ここで、現在位相区間の取得方法について述べる。ゼロクロス点検出手段６はゼロクロス点の検出を常時行っており、ゼロクロス点を検出するとそれをマイクロコンピュータ３に伝える。するとマイクロコンピュータ３の時間計測手段３ｅがゼロクロス点からの時間の計測を開始する。位相区間は交流電源波形１周期内を８分割して決定しているので、例えば周波数６０Hzの場合、各位相区間の長さは２．１ｍＳ（＝１６．６ｍＳ／８）である。
【００５４】
これより、時間計測手段３ｅが計測した時間を２．１ｍＳで除算すれば現在の位相区間が算出できる。時間計測手段３ｅはこの算出した現在の位相区間を出力タイミング制御手段３ｄに伝達する。
【００５５】
そして、出力タイミング制御手段３ｄは、取得した現在の位相区間が内部メモリに記憶している位相区間情報と一致したかどうかを判定（Ｓ４０５）し、一致したらリレー出力信号を送出する。またこの時、出力タイミング制御手段３ｄは内部メモリに記憶しているリレー選択情報に従い、リレー出力信号を送出するリレーを決定する（Ｓ４０６〜４０８）。
【００５６】
例えば、内部メモリに記憶しているリレー選択情報がリレーＡであり、位相区間情報が位相区間ｆ１であった場合には、交流電源波形の位相区間ｆ１のタイミングでリレーＡのリレーコイル１１に対してリレー出力信号を送出する。
【００５７】
なお、ここで送出するリレー出力信号は、前述の温度制御手段３ｃからの指令によりリレーコイルを付勢するものである。
【００５８】
これにより、ヒータ２に電力が供給され、このヒータ２の加熱によりカーペット本体の温度は上昇する。
【００５９】
逆に、カーペット本体の温度上昇により、その検知温度が設定温度を越えると、マイクロコンピュータ３の温度制御手段３ｃは、リレーコイルを付勢解除するリレー出力信号を送出するように、出力タイミング制御手段３ｄに指令をする（Ｓ４０１、Ｓ４０９〜４１０）。
【００６０】
そして、同様に出力タイミング制御手段３ｄはタイミングを判定するために現在の位相区間を取得し（Ｓ４１１）、取得した現在の位相区間が内部メモリに記憶している位相区間情報と一致したところでリレー出力信号を送出する。またこの時、制御手段３ｄは内部メモリに記憶しているリレー選択情報に従い、リレー出力信号を送信するリレーを決定する（Ｓ４１２〜４１５）。
【００６１】
さらに、次回のリレー出力に備え、内部メモリに記憶しているリレー選択情報と位相区間情報を更新する（Ｓ４１６〜４１７）。先の例の続きであれば、今回はリレーＡに対して位相区間ｆ１で付勢及びその付勢解除を行っているので、リレー選択情報はリレーＢに、位相区間情報は位相区間ｆ１に更新する。
【００６２】
次に電源投入後１回目の作用について図４に示す電源投入後１回目のリレー制御フローチャートを参照して説明する。
【００６３】
まず、電源スイッチ８をオン（Ｓ５０１）すると、マイクロコンピュータ３に電力が供給され、マイクロコンピュータ３が起動する。そして、マイクロコンピュータ３の時間計測手段３ｅはマイクロコンピュータ３が起動されてから、ゼロクロス点検出手段６が１回目のゼロクロス点を検出するまでの時間Ｔｓを計測する（Ｓ５０２〜５０４）。
【００６４】
そして、この時間Ｔｓからリレー選択情報と位相区間情報を決定し、出力タイミング制御手段３ｅの内部メモリに記憶する（Ｓ５０５〜５０６）。そして、その値を初期値として通常のリレー制御を行う（Ｓ５０７）。
【００６５】
ここで、位相区間はｆ１〜ｆ８の８つ、リレーはリレーＡ、Ｂの２つであるので、その組み合わせとしては１６（＝８×２）である。そこで、時間Ｔｓを１６で割った時の余りである０〜１５の数値によって（表１）のようにリレー選択情報、位相区間情報を決定する。
【００６６】
【表１】
0003849521.tif 000002
【００６７】
具体例として時間計測手段３ｅはマイクロコンピュータ３の持つタイマ機能であり、その分解能が１００ｕＳであった場合を例にあげて説明する。図５はマイクロコンピュータ３の起動タイミングと交流電源波形の時間的な関係の一例を示したタイミングチャートである。
【００６８】
図５の例では、マイクロコンピュータ３が起動してから１０ｍＳ後に１回目のゼロクロス点を検出している。タイマ機能の分解能は１００ｕＳであるので、そのタイマカウント値は１００（＝１０．０ｍＳ÷１００ｕＳ）である。これより、Ｔｓ÷１６の剰余は４（＝１００÷１６の剰余）となり、（表１）よりリレー選択情報はリレーＡ、位相区間情報はｆ５となる。
【００６９】
また、マイクロコンピュータ３への電力供給タイミングはユーザーの電源スイッチ８の操作タイミングで決定され、その操作タイミングと交流電源波形との間に相関関係は存在しない。
【００７０】
つまり、マイクロコンピュータ３が起動してから１回目のゼロクロス点を検出するまでの時間Ｔｓは０〜１６．６ｍＳ（交流電源波形１周期。６０Hzの場合）の間の値をランダムに取ることになる。
【００７１】
ゆえに、時間Ｔｓよりリレー選択情報と位相区間情報を決定することにより、電源投入後１回目に出力するリレーとそのリレーコイルを付勢する時の交流電源波形の位相区間をランダム化することができる。
【００７２】
このことにより、電源投入が頻繁に行われた場合にも、リレーＡ、Ｂを均等に使用し、また、そのリレーコイルの付勢を交流電源波形の全ての位相区間に対して均等に行うことができ、電源投入後１回目に、毎回電源電圧のピーク値１４１Ｖでリレー接点がオンしたり、交流電源電圧の一方の極性だけでオンしたりすることがなくなり、一方の接点の金属微粒子だけが飛ぶことによって発生するリレー接点の接触不良を防ぎ、リレー寿命の延長をはかることができる。
【００７３】
なお、前述の時間Ｔｓを計測する時のタイマ分解能を１００ｕＳとして説明したが、分解能はマイクロコンピュータ３の設定で可能な限り短く設定することが望ましい。リレー選択情報と位相区間情報の組み合わせ１６通りを実現するのに最低必要な時間Ｔｚは”１６×分解能”となる。
【００７４】
例えば分解能が１００ｕＳであれば、リレー選択情報と位相区間情報の組み合わせである１６通りのランダム化を実現するのに最低１．６ｍＳ（＝１６×１００ｕＳ）の時間が必要である。基本的にこの時間Ｔｚが交流電源波形の１周期（１６．６ｍＳ。交流電源周波数６０Hzの場合。）よりも短ければ、ランダム化が可能である。
【００７５】
しかしながら、電源回路構成によってはマイクロコンピュータ３への電源供給と交流電源波形との間に何らかの相関がる場合には、その相関を考慮した上での交流電源波形１周期に対してランダム化が可能になるようにしなければならない。
【００７６】
例えば、マイクロコンピュータ３の電源回路が交流電源波形の一方の極性でしか充電されない場合、１／２周期はランダム化に寄与しないことになる。つまりこの時には、時間Ｔｚが８．３ｍＳ（＝１６．６÷２）より短くなければならない。
【００７７】
なお、本発明は上記各実施例に限定されるものでなくその要旨を変更しない範囲で変形してもよい。
【００７８】
例えば、上記実施例では電気カーペットに適用した場合について説明したが、電気床暖房、電気毛布等に適用してもよい。
【００７９】
例えば、上記実施例では分割する位相区間の数を８、使用するリレーの数を２としたがそれ以外の値であっても同様に実現できることは明白である。
【００８０】
例えば、上記実施例ではリレーの通常の制御として位相分割方式の場合について説明したが、ゼロクロス点方式等、他の制御方式に適用してもよい。この場合でさらに、電圧のピーク値でのリレー接点開閉を避けるために、ゼロクロス点からある範囲内でしかリレー接点開閉を行わないような制限を設けている場合には、電源投入後１回目のリレー接点開閉タイミングのランダム化もその範囲内で行うことが望ましい。
【００８１】
【発明の効果】
以上のように、本発明によれば、電気採暖具本体への電源投入後１回目にリレーコイルへの付勢を交流電源波形に対してランダムなタイミングで行うことにより、電源投入後１回目のリレー接点の交流電源波形に対する開閉タイミングを電源電圧の一方の極性及び電圧のピーク値付近に偏らせることなく、均等に行うことができ、リレー接点の片方の接点から金属微粒子が飛ぶことによって発生するリレー接点の接触不良を防ぎ、リレー寿命を延ばすことができる。また、リレーを複数ランダムに選択して付勢を行うことにより、電源投入後１回目の開閉を複数あるすべてのリレーに対して均等に行うことができ、複数のリレーでシステム全体のリレー寿命の延長をはかるということを確実に実現することができる。
【図面の簡単な説明】
【図１】  本発明の実施例１におけるリレー制御装置の構成図
【図２】  本発明の実施例１におけるマイクロコンピュータの機能ブロック図
【図３】  本発明の実施例１における通常のリレー制御フローチャート
【図４】  本発明の実施例１における電源投入後１回目のリレー制御フローチャート
【図５】  本発明の実施例１におけるマイクロコンピュータ起動時の時間計測手段の動作タイミングチャート
【図６】  従来のリレー制御装置の構成図
【図７】  従来の電気カーペットのリレー出力信号の送出タイミング図
【図８】  従来の電気カーペットの位相分割出力方式のリレー出力信号の送出タイミングチャート
【図９】  従来の電気カーペットのゼロクロス点出力方式のリレー出力信号の送出タイミングチャート
【図１０】  電源スイッチをマイクロコンピュータの一次側に構成した従来の電気カーペットのリレー制御装置の構成図
【符号の説明】
２  ヒータ
３  マイクロコンピュータ
４  温度検知線
５  リレーコイル
６  ゼロクロス点検出手段
８  電源スイッチ
９  リレーＡの接点（リレー接点）
１０  リレーＢの接点（リレー接点）
１１  リレーＡのコイル（リレーコイル）
１２  リレーＢのコイル（リレーコイル）
【図１】
0003849521.tif 000003
【図２】
0003849521.tif 000004
【図３】
0003849521.tif 000005
【図４】
0003849521.tif 000006
【図５】
0003849521.tif 000007
【図６】
0003849521.tif 000008
【図７】
0003849521.tif 000009
【図８】
0003849521.tif 000010
【図９】
0003849521.tif 000011
【図１０】
0003849521.tif 000012